(57)【要約】【課題】装置の動作状態に影響されず、いつでも動作状況表示パネルの形態を所望の形態に切換えることができるようにする。【解決手段】  動作を統括する制御部５６を有し、この制御部の制御に基づいて、受信部で放送信号を受信し、復調及び信号処理部で、前記受信信号を復調及び信号処理し表示用信号に変換し、操作入力に応じて前記表示用信号を記録媒体に蓄積する放送受信装置において、保存部５６ｆ３は、複数形態の動作状況表示パネルを予め保存している。動作状況表示パネル制御部５６ｆ２は、任意の時間に切換え操作に出力応じて、いずれか１つの形態の動作状況表示パネルを選択して、映像として画面に出力する選択機能を有する。【選択図】      図１３
2006295822.tif 000002
【特許請求の範囲】
【請求項１】
動作を統括する制御部を有し、この制御部の制御に基づいて、受信部で放送信号を受信し、復調及び信号処理部で、前記受信信号を復調及び信号処理し表示用信号に変換し、操作入力に応じて前記表示用信号を記録媒体に蓄積する放送受信装置において、
複数形態の動作状況表示パネルを予め保存した保存部と、
任意の時期に切換え操作に出力応じて、いずれか１つの形態の動作状況表示パネルを選択して、映像として画面に出力する動作状況表示パネル制御部と
を有することを特徴とする放送受信装置。
【請求項２】
前記動作状況表示パネルとしては、
少なくとも再生状態をカウンタ表示するカウンタタイプと、再生状態を時刻表示する時刻タイプとが含まれる請求項１記載の放送受信装置。
【請求項３】
前記動作状況表示パネル制御部は、リモートコントローラからの操作信号に出力として、サイクリックに前記カウンタタイプ、時刻タイプを選択することを特徴とする請求項２記載の放送受信装置。
【請求項４】
さらに、前記動作状況表示パネルに再生位置を表示するために、再生位置をカウンタ値又は時刻で表示するための演算手段がさらに設けられていていることを特徴とする請求項２記載の放送受信装置。
【請求項５】
前記記録媒体に予約録画された番組が再生されているときに、
前記保存部から前記動作状況表示パネルが出力されるようにしたことを特徴とする請求項１記載の放送受信装置。
【請求項６】
動作を統括する制御部を有し、この制御部の制御に基づいて、受信部で放送信号を受信し、復調及び信号処理部で、前記受信信号を復調及び信号処理し表示用信号に変換し、操作入力に応じて前記表示用信号を記録媒体に蓄積する放送受信方法において、
保存部は、複数形態の動作状況表示パネルを予め保存しており、
任意の時期に切換え操作に応じて、いずれか１つの形態の動作状況表示パネルを選択し、
選択された動作状況表示パネルを映像として画面に出力する
ることを特徴とする放送受信方法。
【請求項７】
前記動作状況表示パネルとしては、
少なくとも再生状態をカウンタ表示するカウンタタイプと、再生状態を時刻表示する時刻タイプとが含まれ、
リモートコントローラからの操作信号に出力として、サイクリックに少なくとも前記カウンタタイプ、時刻タイプを選択出力する
ことを特徴とする請求項６記載の放送受信方法。
【請求項８】
前記記録媒体に予約録画された番組が再生されているときに、
前記動作状況表示パネルが出力されるようにしたことを特徴とする請求項６記載の放送受信方法。
【発明の詳細な説明】
【技術分野】
【０００１】
この発明は、放送受信装置及び放送受信方法に関するもので、特に再生動作状況を画面上で示すパネルの表示方法を改良したものである。
【背景技術】
【０００２】
近年、記録媒体としてのハードディスク、光ディスクなどの情報記録媒体は、その記憶容量が増大している。このために、これらの情報記録媒体を利用した記録再生装置を例えばテレビジョン受信機に接続し、所望の番組を記録媒体に自動録画する方法及び装置がある。
【０００３】
自動録画機能及び自動録画再生装置を実現するためには、電子番組案内（ＥＰＧ）情報を用いて番組録画予約情報が作成される。そして、録画された番組を任意に表示することができる。
【０００４】
ここで、動作状況をユーザに認識させるために、画面上には、動作状況表示パネルが現れる。動作状況表示パネルは、各種のものがあり、これはメーカや、機種により決められている。動作状況表示パネルとしては、例えば、タイマー予約を行うときの予約時間表示がある（例えば特開平０２−２５１７８５号公報）。この予約時間表示においては、時間表示パネルを複数のタイプで表示することができ、いずれのタイプを用いるかを選択できるようになっている。０−１２時系の表示タイプ、０−２４時系の表示タイプにするかを選択できるようになっている。
【特許文献１】特開平０２−２５１７８５号公報
【発明の開示】
【発明が解決しようとする課題】
【０００５】
従来の動作状況表示パネルの表示形態は、機種により予め決められていることが多く、ユーザが自由に選択する余地がない。また予約時間の表示形態を選択できるようにしたものがあるが、多様性に乏しく、表示形態の設定は、予約時のみである。
【０００６】
そこでこの発明に係る目的は、装置の動作状態に影響されず、いつでも動作状況表示パネルの形態を所望の形態に切換えることができるようにした放送受信装置及び放送受信方法を提供することにある。
【課題を解決するための手段】
【０００７】
この発明の一実施の形態では、複数の動作状況表示パネルを保存する保存部と、任意の時間に選択操作に応じて、いずれか１つの動作状況表示パネルを選択して、映像として画面に出力する動作状況表示パネル制御部とを有する。動作状況表示パネルには、少なくとも再生状態をカウンタ表示するタイプと、再生状態を時刻表示するタイプとが含まれる。さらに、動作状況表示パネルに再生位置を表示するために、再生位置をカウンタ値又は時刻で表示するための演算手段がさらに設けられていてもよい。
【発明の効果】
【０００８】
これにより、視聴者は、好みの動作状況表示パネルを画面で見ることが可能となり、ユーザの使い勝手が向上する。
【発明を実施するための最良の形態】
【０００９】
以下、図面を参照しながらこの発明の実施の形態を説明する。まずこの発明が適用された放送受信装置について概要を説明する。
【００１０】
図１は、この実施の形態で説明するデジタルテレビジョン放送受信装置１１の外観と、このデジタルテレビジョン放送受信装置１１を中心として構成されるネットワークシステムの一例を概略的に示している。
【００１１】
デジタルテレビジョン放送受信装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１４】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link（登録商標）端子２４を備えている。
【００１５】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１７】
また、第２のＬＡＮ端子２２は、イーサネット（登録商標）を用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２１】
上記ｉ．Link（登録商標）端子２４は、例えばＡＶ−ＨＤＤ４１、Ｄ（Digital）−ＶＨＳ（Video Home System）４２等をシリアル接続し、これらの機器と情報伝送を行なうために使用される。
【００２２】
ここでｉ．Link（登録商標）端子２４に接続された、ＡＶ−ＨＤＤ４１は、図面ではデジタルテレビジョン放送受信装置１１の外に記載されているが、実際には支持台１３に内蔵されている。つまりＡＶ−ＨＤＤ４１は、デジタルテレビジョン放送受信装置１１と一体となっている。
【００２３】
図２には、上記のデジタルテレビジョン受信装置１１の概観を示している。ＡＶ−ＨＤＤ４１は、支持台１３内に内蔵されている。
【００２４】
図３は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
チューナ４５で選局された放送信号は、ＰＳＫ（Phase Shift Keying）復調器４６に供給されて、デジタルの映像信号及び音声信号に復調された後、信号処理部４７に出力される。
【００２６】
また地上波アナログ信号を受信するアナログチューナ６８も設けられている。アナログチューナ６８で受信された信号は、アナログ復調器６９で復調され信号処理部４７に出力される。
【００２７】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３０】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３１】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００３２】
上記音声処理部５３は、入力されたデジタルの音声信号を、スピーカ１５で再生可能なフォーマットのアナログ音声信号に変換し、スピーカ１５に出力して音声再生させる。
【００３３】
ここで、このデジタルテレビジョン放送受信装置１１は、上記した各種の受信動作を含むその全ての動作を制御部５６によって統括的に制御されている。
【００３４】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００３５】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３６】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３７】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３８】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３９】
制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００４０】
制御部５６は、ＵＳＢ Ｉ／Ｆ６６を介してＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４１】
上記制御部５６は、ｉ．Link（登録商標） Ｉ／Ｆ６７を介してｉ．Link（登録商標）端子２４に接続されている。これにより、制御部５６は、ｉ．Link（登録商標）端子２４に接続された各機器（図１参照）と、ｉ．Link（登録商標）Ｉ／Ｆ６７を介して情報伝送を行なうことができる。
【００４２】
制御部５６は、予約番組録画制御部５６ａ、録画予約情報処理部５６ｅ、表示パネル処理部５６ｆを有する。表示パネル処理部５６ｆは、後でさらに詳しく説明するが、映像出力制御部、表示パネル選択部などを含む。この部分の詳細については、あとでさらに説明する。
【００４３】
図４は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。またちょっとタイムキー１７ｑ、スキップキー１７ｒも設けられている。
【００４４】
図５は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図６に示すような番組表を映像表示器１４に表示させる。
【００４５】
ユーザは、ステップＳ３で、表示された番組表に基づいて所望の番組の録画予約を実行する。この録画予約では、記録すべき番組を番組表から選択するとともに、その番組を記録させるデジタル記録機器を選択設定することも行なわれる。
【００４６】
そして、制御部５６は、ステップＳ４で、録画予約した設定時間に達した場合、予約された番組を予約されたデジタル記録機器に記録するように、記録動作を実行する。
【００４７】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００４８】
また、ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００４９】
以上の記録動作により、ユーザは、デジタルテレビジョン放送受信装置１１の各端子２１〜２４に接続されている複数のデジタル記録機器を任意に選択して、番組を記録させていくことが可能になる。
【００５０】
上記のように所望のデジタル機器に対して、所望の番組が録画される。したがって、録画した内容を再生する場合には、録画リストが表示される。録画リスト内の所望の番組名の位置へカーソルが合わせされ、決定ボタンが操作されると、その選択番組が再生される。録画リストを表示する方法は、複数ある。まず複数の機器リストを表示し、所望の機器を選択し、次に録画リストを要求する方法がある。また機器リストは表示せず、最近録画した番組の録画リストを表示する方法がある。いずれも、ナビゲーション画面が表示されるので、ナビゲーションに沿って、項目を選択することにより、所望の番組を再生することが可能である。例えばフェイスネットキー１７ｊを押すと、最近録画した３６個の番組の録画リストが画面に現れるようになっている。
【００５１】
図７は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００５２】
すると、制御部５６は、ステップＳ１１で、faceネット（ナビゲーション）を起動させ、図８に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図８では、「テレビ」が選択された状態をハッチングにより示している。
【００５３】
ここで、ユーザは、ステップＳ１２で、リモートコントローラ１７のカーソルキー１７ｆを操作して「録画番組」の項目を選択する。すると、制御部５６は、図９にハッチングで示すように、「録画番組」の項目を選択した状態となる。
【００５４】
この状態で、ユーザが、ステップＳ１３で、リモートコントローラ１７の決定キー１７ｇを操作すると、制御部５６は、図１０に示すように、最近録画した番組の一覧を映像表示器１４に表示させる。この番組一覧では、記録されている番組を示す情報として、タイトル、放送チャンネル、記録日時、曜日、時間、ジャンル等が表示されている。
【００５５】
この最近録画した番組の一覧は、図５で説明した番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って最大で３５個の番組を示す情報を一覧表示することが可能である。図１０では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５６】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５７】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５８】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００５９】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００６０】
上記した再生動作によれば、記録したデジタル記録機器を問わず、最新の記録番組から溯って最大で３５個の記録された番組を一覧表示するナビゲーション機能を持つようにしたので、複数のデジタル記録機器に記録されている番組をユーザが容易に管理することが可能となる。このため、一覧表示された番組から所望の番組をカーソルキー１７ｆで選択し決定キー１７ｇで決定することにより、迅速に検索して再生することが可能となる。
【００６１】
なお、複数のデジタル記録機器に記録した番組を全て一覧表示することは、接続されるデジタル記録機器の増加や、記録した番組数の増加を考慮すると、実用的でなくなる。この実施の形態のように、最新の記録番組から溯って最大で３５個程度までの番組を一覧表示することが、ユーザにとって実質的な支障の生じ難い実用に適した設定となる。
【００６２】
図１１は、この装置の特徴を説明するための画面の例である。図７は、所望の番組を再生しているときに、動作状況表示パネル１１１が表示された様子を示している（画面の右下参照）。ここでは、時刻表示を行うパネルが選択された様子を示している。バー１１２の左側には、録画開始時刻が表示されている（図の例ではＰＭ１時３２分５４秒）。そしてバー１１２の右側には、録画終了時刻が表示されている（図の例ではＰＭ２時）。またバー１１２の途中には、マーク１１３が示されている。このマーク１１３は、再生位置を示すもので、バー１１２の上に再生位置としてＰＭ１時４８分２６秒が示されている。また、この動作状況表示パネル１１１の下部には、操作パネル１２１も表示されている。操作パネル１２１は、早送りキー、一時停止キー、リピートキーなどのマークを含む。カーソルを所望のキーのマークに合わせて、決定キーを操作すると、動作モードを切換えることができる。また、操作パネル１２１内には、機器選択画面に移るための選択ボタン、録画リストの画面に移るための選択ボタンも表示されている。
【００６３】
さらに動作状況表示パネル１１１の形態を切換えることができる。この形態を切換えるためのガイド１２２は、例えば、リモートコントローラ１７の青のカラーキー１７ｍを操作するように案内されている。この例では、青のカラーキーを押すと、動作状況表示パネルがカウンタ表示に切換わることを示している。
【００６４】
図１２は、上記のカラーキー１７ｍを操作した際に変化する、動作状況表示パネル１１１の表示形態の例を示している。図１２の下の段のパネル１１１Ａは、先に説明したように時刻表示形態の例である。即ち、バーＡ１，録画開始時刻Ａ２，録画終了時刻Ａ３、再生位置を示すマークＡ４、再生時間Ａ５が表示されている。図１２の上の段のパネル１１１Ｂは、カウンタ表示の例である。このパネルでは、バーＢ１，カウンタの初期値Ｂ２，カウンタの最終値Ｂ３、現在の再生位置を示すマークＢ４，現在の再生位置のカウント値Ｂ５が表示される。
【００６５】
ユーザは、青のカラーキー１７ｍを操作することにより、上記の表示形態を自由に切換えることができる。なお、図１１の画面において、操作パネル１２１は、再生開始から一定時間経過したら画面から消えるようになっている。この後、操作パネル１２１を表示させるためには、リモートコントローラ１７のいずれかのキー、例えば戻るキー１７ｋに触れると、再表示されるようになっている。
【００６６】
図１３には、上記した動作状況表示パネルを切換えるための制御部の具体的構成を示している。制御部５６の内部には、録画予約情報処理部５６ｅ，予約番組録画制御部５６ａ，操作入力判別部５６ｄが含まれている。また表示パネル処理部５６ｆも含まれている。録画予約情報処理部５６ｅは、図５、図６で説明したように、番組の録画予約を行うための制御部である。また予約番組録画制御部５６ａは、録画予約された番組の放送時間になったときに、当該番組を所定の記録媒体に記録するための制御部である。
【００６７】
表示パネル制御部５６ｆには、動作状況表示パネルを図２２で示したように、画面上に表示するための映像出力制御部５６ｆ１が含まれている。また複数タイプの表示パネルを保存した保存部５６ｆ３、及び、操作入力を判定し、動作状況表示パネルの切換え選択などを行う動作状況表示パネル制御部５６ｆ２が含まれている。さらにまた、再生位置演算部５６ｆ４も含まれている。再生位置演算部５６ｆ４は、図１２で示した再生位置を示すデータを演算により求める機能を備える。
【００６８】
例えば、アナログ放送の場合は、録画開始時刻と録画終了時刻の情報は、番組予約情報を設定したときに得ることができる。そこで、このような番組を再生するときは、録画開始時刻に対して、カウンタ値を加算することで、再生位置情報を演算により求めることができる。このように求めた再生位置情報を、動作状況表示パネルにあわせて出力するためである。
【００６９】
上記のように再生位置情報を求める方法は、デジタル放送の番組を再生するときも適用できる。しかし、再生時に演算により求めなくても、録画時に記録信号ととともに放送時間情報を記録媒体に記録しておいてもよい。この場合は、再生時に演算処理する必要はない。
【００７０】
上記の説明では、動作状況表示パネルは、時刻タイプとカウンタタイプの２種類であるが、種々の動作状況表示パネルを保存部５６ｆ３に格納しておくことにより、ユーザは、このみのタイプを表示することができる。勿論、表示パネルを表示しないとう選択枝もこの発明の範疇であり、この場合は、例えば特定の別のカラーキーを操作すればよい。
【００７１】
図１４には録画した番組を再生中に動作状況表示パネルを出力するための動作をフローチャートで示している。このフローチャートは、図７に示したステップＳ１６をより具体的に示している。記録媒体のデータの読出し、このデータのデコード処理、デコードした映像信号の出力が行われる（ステップＳ１６１、Ｓ１６２、Ｓ１６３）。動作状況表示パネルは保存部５６ｆ３から読み出される（このときはデフォルトとして設定されているタイプが読み出されるか、またはその直前に使用されたタイプが読み出されて仕様される）（ステップＳ１６４）。続いて、再生位置が計算されてその表示データが出力される（ステップＳ１６５）。
【００７２】
番組再生及び動作状況表示パネルの表示中に、動作状況表示パネルの切換え指令があったかどうかの判定がなされ（ステップＳ１６６）、切換え指令が有った場合は、切換え処理を行い（ステップＳ１６７）、切換え指令がなければ、現在表示している動作状況表示パネルの維持が行われる（ステップＳ１６８）。そして当該番組の再生が終了したかどうかの判定が行われ（ステップＳ１６９、１６１０）、終了した場合は、再生動作が終了し、終了していない場合は、引き続き、動作状況表示パネルの切換え指令が有ったどうかのチェック状態となる。
【００７３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７４】
【図１】この発明が適用されたデジタルテレビジョン放送受信システムの概要を説明するために示した図である。
【図２】図１のデジタルテレビジョン放送受信装置の概観を示す図である。
【図３】図１のデジタルテレビジョン放送受信装置の内部をさらに具体的に示す構成説明図である。
【図４】この発明の装置で使用されるリモートコントローラの概略を説明するために示した説明図である。
【図５】図１の装置がＥＰＧ情報に基づいて番組を記録する際の動作を説明するために示したフローチャートである。
【図６】図１の装置において映像表示器に番組情報が表示された際の例を示す説明図である。
【図７】同実施の形態におけるデジタルテレビジョン放送受信装置がデジタル記録機器から番組を再生する動作を説明するために示すフローチャートである。
【図８】同実施の形態におけるデジタルテレビジョン放送受信装置の再生動作時に表示されるナビゲーションメニューの一例を説明するために示す図である。
【図９】同実施の形態におけるナビゲーションメニューから録画番組の項目を選択した状態を説明するために示す図である。
【図１０】同実施の形態におけるナビゲーションメニューから得られる最近録画した番組の一覧表示画面の一例を説明するために示す図である。
【図１１】この発明の一実施の形態における特徴である動作状況表示パネルが表示された際の画面例を説明するために示した図である。
【図１２】動作状況表示パネルのタイプの例を示す説明図である。
【図１３】上記の動作状況表示パネルを切換えるための制御部の具体的構成を示しす説明図である。
【図１４】動作状況表示パネルの切換え動作を説明するために示したフローチャートである。
【符号の説明】
【００７５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link（登録商標） Ｉ／Ｆ。
【図１】
2006295822.tif 000003
【図２】
2006295822.tif 000004
【図３】
2006295822.tif 000005
【図４】
2006295822.tif 000006
【図５】
2006295822.tif 000007
【図６】
2006295822.tif 000008
【図７】
2006295822.tif 000009
【図８】
2006295822.tif 000010
【図９】
2006295822.tif 000011
【図１０】
2006295822.tif 000012
【図１１】
2006295822.tif 000013
【図１２】
2006295822.tif 000014
【図１３】
2006295822.tif 000015
【図１４】
2006295822.tif 000016